(57)【要約】【課題】  比較的横幅が大きく背の高い刈取部を機体の前部に備えた刈取収穫機において刈取部の前方を適切に照射する。【解決手段】  機体の前部に刈取部２を備える。右方を照射するライト１８を刈取部２の右の前横側部に備えて、左方を照射するライト１８を刈取部２の左の前横側部に備える。前方を照射するライト２２を刈取部２の右及び左の前横側部のライト１８，１９の中間部で、刈取部２の上部に備える。【選択図】        図１０
2008086333.tif 000002
【特許請求の範囲】
【請求項１】
機体の前部に刈取部を備えて、
右方を照射するライトを前記刈取部の右の前横側部に備え、左方を照射するライトを前記刈取部の左の前横側部に備えると共に、
前方を照射するライトを、前記刈取部の右及び左の前横側部のライトの中間部で、前記刈取部の上部に備えてある刈取収穫機。
【請求項２】
機体の前部に刈取部を備えて、
前方を照射するライト及び右方を照射するライトを前記刈取部の右の前横側部に備え、前方を照射するライト及び左方を照射するライトを前記刈取部の左の前横側部に備えると共に、
前方を照射するライトを、前記刈取部の右及び左の前横側部のライトの中間部で、前記刈取部の上部に備えてある刈取収穫機。
【請求項３】
前記刈取部の上部に備えられたライトを、前記刈取部の右及び左の前横側部のライトよりも高い位置に備えてある請求項１又は２に記載の刈取収穫機。
【発明の詳細な説明】
【技術分野】
【０００１】
本発明は、刈取収穫機に備えられるライトの構造に関する。
【背景技術】
【０００２】
コンバイン等の刈取収穫機では夕暮れ時や夜間でも刈取作業を行うことが増えてきており、例えば特許文献１に開示されているように、刈取部にライト（特許文献１の第１，２，３図の１）を備えたものがある。
【０００３】
【特許文献１】実開昭６３−２３１４３号公報（第１，２，３図）
【特許文献２】特開平７−２８９０５８号公報（図１，３，４，５）
【発明の開示】
【発明が解決しようとする課題】
【０００４】
コンバイン等の刈取収穫機において、刈取部は比較的横幅が大きく、背の高いものとなっている。
本発明はコンバイン等の刈取収穫機のように、比較的横幅が大きく背の高い刈取部を備えた場合、刈取部の前方を適切に照射することができるように構成することを目的としている。
【課題を解決するための手段】
【０００５】
［Ｉ］
（構成）
本発明の第１特徴は、刈取収穫機において次のように構成することにある。
機体の前部に刈取部を備えて、右方を照射するライトを刈取部の右の前横側部に備え、左方を照射するライトを刈取部の左の前横側部に備える。前方を照射するライトを、刈取部の右及び左の前横側部のライトの中間部で、刈取部の上部に備える。
【０００６】
本発明の第２特徴は、刈取収穫機において次のように構成することにある。
機体の前部に刈取部を備えて、前方を照射するライト及び右方を照射するライトを刈取部の右の前横側部に備え、前方を照射するライト及び左方を照射するライトを刈取部の左の前横側部に備える。前方を照射するライトを、刈取部の右及び左の前横側部のライトの中間部で、刈取部の上部に備える。
【０００７】
本発明の第３特徴は、本発明の第１又は第２特徴の刈取収穫機において次のように構成することにある。
刈取部の上部に備えられたライトを、刈取部の右及び左の前横側部のライトよりも高い位置に備えてある。
【０００８】
（作用）
本発明の第１特徴（第２特徴）によると、比較的横幅が大きい刈取部において刈取部の右側の前方（又は刈取部の左側の前方）、刈取部の中央側の前方と言う広い範囲に亘って照射される。
刈取収穫機において機体の前部に備えられる刈取部は、刈取作業において圃場の作物に囲まれたような状態になることが多いので、刈取部の低い位置にライトが備えられていると、ライトが圃場の作物に覆われて照射が適切に行われないことがある。
この場合、本発明の第１特徴（第２特徴）によると、刈取部の上部にライトが備えられており、比較的背の高い刈取部の高い位置に備えられているので、前述のように刈取部の上部のライトが圃場の作物に覆われてしまうような状態になることは少なく、刈取部の上部のライトにより、刈取部の中央側の前方が適切に照射される。
【０００９】
（発明の効果）
本発明の第１特徴（第２特徴）によると、刈取収穫機において、刈取部の右側の前方（又は刈取部の左側の前方）、刈取部の中央側の前方と言う広い範囲に亘って照射されるようになる点、及び、刈取部の上部のライトが圃場の作物に覆われてしまうような状態になることは少なく、刈取部の上部のライトによって、刈取部の中央側の前方が適切に照射されるようになる点により、機体の運転部から広い範囲に亘って見易くなって、特に夕暮れ時や夜間での刈取作業の作業性及び路上での走行性を向上させることができた。
【発明を実施するための最良の形態】
【００１０】
図１及び図２に示すように、右及び左のクローラ式の走行装置１で支持された機体の前部に刈取部２を備えて、機体の前部の右側部に運転部３、機体の後部の左側部に脱穀装置４、機体の後部の右側部にホッパー５を備えて、刈取収穫機の一例であるコンバインが構成されている。これにより、圃場の作物が刈取部２によって刈り取られ、刈り取られた作物が脱穀装置４に送られて脱穀処理され、脱穀処理されて単粒化した作物が収穫物としてホッパー５に供給されるのであり、ホッパー５の排出口５ａから袋１２に収穫物が詰め込まれる。
【００１１】
図２，３，６に示すように、機体に上下揺動自在に支持された主フレーム６に、刈取部２の全体が支持されており、主フレーム６を昇降駆動する昇降シリンダ７が備えられている。刈取部２は５個のデバイダ８，９，１０，１１、引き起し爪１３ａを多数備えた４組の引き起し装置１３、バリカン型式の刈取装置１４及び搬送装置１５を備えて、４条刈り型式に構成されている。
【００１２】
図１，３，６に示すように、刈取部２の右及び左の横側部にカバー１６が備えられ、引き起し装置１３の上部に亘って横長のカバー１７が備えられている。右及び左のカバー１６の上部において、右及び左のカバー１６の前部１６ａ及び横部１６ｂに亘る角部に開口部が形成されて、右及び左のカバー１６の開口部にライト１８が嵌め込まれるように固定されており、ライト１８はバルブ１８ａ及びリフレクタ１８ｂ（反射板）を備えて構成されている。カバー１７の右及び左の横側部において、右及び左のカバー１６の開口部につながる開口部が形成されて、カバー１７の右及び左の開口部にライト１９が嵌め込まれるように固定されており、ライト１９はバルブ１９ａ及びリフレクタ１９ｂ（反射板）を備えて構成されている。
【００１３】
図１，３，６に示すように、右のライト１８，１９（右のカバー１６の開口部及びカバー１７の右の開口部）を覆う透明のカバー２０（正面視横Ｌ字状）が取り付けられ、左のライト１８，１９（左のカバー１６の開口部及びカバー１７の左の開口部）を覆う透明のカバー２０（正面視横Ｌ字状）が取り付けられている。カバー２０の前面が右及び左のカバー１６の前部１６ａ及び引き起し装置１３の前面と略同一面（又はカバー２０の前面が右及び左のカバー１６の前部１６ａ及び引き起し装置１３の前面よりも少し後側）に位置するように構成されており、カバー２０の横面が右及び左のカバー１６の横部１６ｂと略同一面に位置するように構成されている。
【００１４】
右のライト１８においてリフレクタ１８ｂはバルブ１８ａの光を右及び左斜め前方に反射し、斜め前方下方に反射するように構成されており、右のライト１９においてリフレクタ１９ｂはバルブ１９ａの光を前方に反射するように構成されている。これにより、刈取部２を地面に位置させている状態において、右のライト１８の照射範囲ＲＤ１及び右のライト１９の照射範囲ＲＤ２は図５（ａ）及び図７に示すような状態となるのであり、右のライト１８によりデバイダ８が照射されている。この場合、右のライト１９の照射範囲ＲＤ２は前向きの比較的狭い範囲を照射する状態となるのであり、右のライト１９のバルブ１９ａの光があまり拡散しないことによって、右のライト１９の照射範囲ＲＤ２は比較的明るいものとなる。
【００１５】
左のライト１８においてリフレクタ１８ｂはバルブ１８ａの光を左及び右斜め前方に反射し、斜め前方下方に反射するように構成されており、左のライト１９においてリフレクタ１９ｂはバルブ１９ａの光を前方に反射するように構成されている。これにより、刈取部２を地面に位置させている状態において、左のライト１８の照射範囲ＬＤ１及び左のライト１９の照射範囲ＬＤ２は図５（ａ）及び図７に示すような状態となるのであり、左のライト１８によりデバイダ１０が照射されている。この場合、左のライト１９の照射範囲ＬＤ２は前向きの比較的狭い範囲を照射する状態となるのであり、左のライト１９のバルブ１９ａの光があまり拡散しないことによって、左のライト１９の照射範囲ＬＤ２は比較的明るいものとなる。
【００１６】
図５（ａ）に示すように、刈取部２を地面に位置させている状態において、右及び左のライト１８，１９の照射範囲ＲＤ１，ＲＤ２，ＬＤ１，ＬＤ２は側面視で斜め前方下方に向いている。図５（ｂ）に示すように、刈取部２を上限位置まで上昇駆動すると、右及び左のライト１８，１９の照射範囲ＲＤ１，ＲＤ２，ＬＤ１，ＬＤ２は側面視で略前方を向く状態となる。
【００１７】
図４に示すように、運転部３にライトスイッチ２１が備えられている。ライトスイッチ２１をＯＮ２位置に操作すると、右及び左のライト１８，１９が点灯する。ライトスイッチ２１をＯＮ１位置に操作すると、右及び左のライト１８が点灯して、右及び左のライト１９が消灯する。ライトスイッチ２１をＯＦＦ位置に操作すると、右及び左のライト１８，１９が消灯する。
【００１８】
コンバインでは例えば図２に示すように、刈取部２の運転部３とは反対側が未刈り側Ａ１（作物がまだ刈り取られていない側）となり、刈取部２の運転部３側が既刈り側Ａ２（作物が既に刈り取られた側）となる。この場合、デバイダ９，１０，１１は作物の株元付近に位置し作物よって隠れている状態で、運転部３からデバイダ９，１０，１１を目視できない状態である。これに対して、未刈り側Ａ１の作物における既刈り側Ａ２の端部の列Ｂ１の横外側にデバイダ８が位置しており、運転部３からデバイダ８を目視することができるのであり、未刈り側Ａ１の作物における既刈り側Ａ２の端部の列Ｂ１とデバイダ８との位置関係を目視しながら、運転部３の操縦者はコンバインの運転を行う。
この場合、右のライト１８により未刈り側Ａ１の作物における既刈り側Ａ２の端部の列Ｂ１が照射されるようになるので、未刈り側Ａ１の作物における既刈り側Ａ２の端部の列Ｂ１を目視しながらの運転が行い易くなる。
【００１９】
［発明の実施の第１別形態］
前述の［発明を実施するための最良の形態］に代えて、図８及び図９に示すように構成してもよい。
図８に示すように、カバー１７の左右中央部に開口部が形成されて、カバー１７の左右中央の開口部にライト２２が嵌め込まれるように固定されており、ライト２２はバルブ２２ａ及びリフレクタ２２ｂ（反射板）を備えて構成され、リフレクタ２２ｂはバルブ２２ａの光を前方に反射するように構成されている。中央のライト２２（カバー１７の左右中央の開口部）を覆う透明のカバー２３（正面視横長状）が取り付けられており、カバー２３がカバー１７及び引き起し装置１３の前面と略同一面（又はカバー２３がカバー１７及び引き起し装置１３の前面よりも少し後側）に位置するように構成されている。［発明を実施するための最良の形態］と同様な右及び左のライト１８，１９、カバー２０が備えられている。
【００２０】
これにより、刈取部２を地面に位置させている状態において、右及び左のライト１８，１９の照射範囲ＲＤ１，ＲＤ２，ＬＤ１，ＬＤ２、中央のライト２２の照射範囲ＳＤは図９に示すような状態となる。刈取部２を地面に位置させている状態での右及び左のライト１８，１９の照射範囲ＲＤ１，ＲＤ２，ＬＤ１，ＬＤ２、中央のライト２２の照射範囲ＳＤ、並びに、刈取部２を上限位置まで上昇駆動した状態での右及び左のライト１８，１９の照射範囲ＲＤ１，ＲＤ２，ＬＤ１，ＬＤ２、中央のライト２２の照射範囲ＳＤは、図５（ａ）（ｂ）と同様となる。
【００２１】
［発明の実施の第２別形態］
前述の［発明を実施するための最良の形態］［発明の実施の第１別形態］に代えて、図１０及び図１１に示すように構成してもよい。
図１０に示すように、カバー１７の左右中央部に開口部が形成されて、カバー１７の左右中央の開口部にライト２２が嵌め込まれるように固定されており、ライト２２はバルブ２２ａ及びリフレクタ２２ｂ（反射板）を備えて構成され、リフレクタ２２ｂはバルブ２２ａの光を前方に反射するように構成されている。中央のライト２２（カバー１７の左右中央の開口部）を覆う透明のカバー２３（正面視横長状）が取り付けられており、カバー２３がカバー１７及び引き起し装置１３の前面と略同一面（又はカバー２３がカバー１７及び引き起し装置１３の前面よりも少し後側）に位置するように構成されている。
【００２２】
図１０に示すように、［発明を実施するための最良の形態］の右及び左のライト１９（図６参照）が右及び左のカバー１６の開口部に備えられて、右及び左のライト１８，１９が上下に配置されている。この場合、右及び左のライト１８，１９（右及び左のカバー１６の開口部）を覆う透明のカバー２４（正面視縦長状）が取り付けられており、カバー２４の前面が右及び左のカバー１６の前部１６ａ及び引き起し装置１３の前面と略同一面（又はカバー２４の前面が右及び左のカバー１６の前部１６ａ及び引き起し装置１３の前面よりも少し後側）に位置するように構成され、カバー２４の横面が右及び左のカバー１６の横部１６ｂと略同一面に位置するように構成されている。
【００２３】
これにより、刈取部２を地面に位置させている状態において、右及び左のライト１８，１９の照射範囲ＲＤ１，ＲＤ２，ＬＤ１，ＬＤ２、中央のライト２２の照射範囲ＳＤは図１１に示すような状態となる。この場合、右及び左のライト１９の照射範囲ＲＤ２，ＬＤ２が刈取部２の左右中央に少し向くように設定されている。刈取部２を地面に位置させている状態での右及び左のライト１８，１９の照射範囲ＲＤ１，ＲＤ２，ＬＤ１，ＬＤ２、中央のライト２２の照射範囲ＳＤ、並びに、刈取部２を上限位置まで上昇駆動した状態での右及び左のライト１８，１９の照射範囲ＲＤ１，ＲＤ２，ＬＤ１，ＬＤ２、中央のライト２２の照射範囲ＳＤは、図５（ａ）（ｂ）と同様となる。
【００２４】
［発明の実施の第３別形態］
前述の［発明を実施するための最良の形態］［発明の実施の第１別形態］［発明の実施の第２別形態］に代えて、図１２及び図１３に示すように構成してもよい。
図１２に示すように、カバー１７の左右中央部に開口部が形成されて、カバー１７の左右中央の開口部にライト２２が嵌め込まれるように固定されており、ライト２２はバルブ２２ａ及びリフレクタ２２ｂ（反射板）を備えて構成され、リフレクタ２２ｂはバルブ２２ａの光を前方に反射するように構成されている。中央のライト２２（カバー１７の左右中央の開口部）を覆う透明のカバー２３（正面視横長状）が取り付けられており、カバー２３がカバー１７及び引き起し装置１３の前面と略同一面（又はカバー２３がカバー１７及び引き起し装置１３の前面よりも少し後側）に位置するように構成されている。
【００２５】
図１２に示すように、［発明を実施するための最良の形態］の左（運転部３の反対側）のライト１８，１９（図６参照）が廃止され、右（運転部３側）のライト１９（図６参照）が右のカバー１６の開口部に備えられて、右（運転部３側）のライト１８，１９が上下に配置されている。この場合、右（運転部３側）のライト１８，１９（右のカバー１６の開口部）を覆う透明のカバー２４（正面視縦長状）が取り付けられており、カバー２４の前面が右のカバー１６の前部１６ａ及び引き起し装置１３の前面と略同一面（又はカバー２４の前面が右のカバー１６の前部１６ａ及び引き起し装置１３の前面よりも少し後側）に位置するように構成され、カバー２４の横面が右のカバー１６の横部１６ｂと略同一面に位置するように構成されている。
【００２６】
これにより、刈取部２を地面に位置させている状態において、右（運転部３側）のライト１８，１９の照射範囲ＲＤ１，ＲＤ２、中央のライト２２の照射範囲ＳＤは図１３に示すような状態となる。この場合、右（運転部３側）のライト１９の照射範囲ＲＤ２が刈取部２の左右中央に少し向くように設定されている。刈取部２を地面に位置させている状態での右（運転部３側）のライト１８，１９の照射範囲ＲＤ１，ＲＤ２、中央のライト２２の照射範囲ＳＤ、並びに、刈取部２を上限位置まで上昇駆動した状態での右（運転部３側）のライト１８，１９の照射範囲ＲＤ１，ＲＤ２、中央のライト２２の照射範囲ＳＤは、図５（ａ）（ｂ）と同様となる。
【００２７】
［発明の実施の第４別形態］
前述の［発明を実施するための最良の形態］［発明の実施の第１別形態］〜［発明の実施の第３別形態］に代えて、図１４及び図１５に示すように構成してもよい。
図１４に示すように、［発明を実施するための最良の形態］の右（運転部３側）のライト１９（図６参照）が右のカバー１６の開口部に備えられて、右（運転部３側）のライト１８，１９が上下に配置されている。この場合、右（運転部３側）のライト１８，１９（右のカバー１６の開口部）を覆う透明のカバー２４（正面視縦長状）が取り付けられており、カバー２４の前面が右のカバー１６の前部１６ａ及び引き起し装置１３の前面と略同一面（又はカバー２４の前面が右のカバー１６の前部１６ａ及び引き起し装置１３の前面よりも少し後側）に位置するように構成され、カバー２４の横面が右のカバー１６の横部１６ｂと略同一面に位置するように構成されている。［発明を実施するための最良の形態］と同様な左（運転部３の反対側）のライト１８，１９（図６参照）、カバー２０が備えられている。
【００２８】
これにより、刈取部２を地面に位置させている状態において、右（運転部３側）及び左（運転部３の反対側）のライト１８，１９の照射範囲ＲＤ１，ＲＤ２，ＬＤ１，ＬＤ２は図１５に示すような状態となる。この場合、右（運転部３の反対側）のライト１９の照射範囲ＲＤ２が刈取部２の左右中央に少し向くように設定されている。刈取部２を地面に位置させている状態での右（運転部３側）及び左（運転部３の反対側）のライト１８，１９の照射範囲ＲＤ１，ＲＤ２，ＬＤ１，ＬＤ２、並びに、刈取部２を上限位置まで上昇駆動した状態での右（運転部３側）及び左（運転部３の反対側）のライト１８，１９の照射範囲ＲＤ１，ＲＤ２，ＬＤ１，ＬＤ２は、図５（ａ）（ｂ）と同様となる。
【００２９】
［発明の実施の第５別形態］
前述の［発明を実施するための最良の形態］［発明の実施の第１別形態］〜［発明の実施の第４別形態］において、機体の前部の左側部に運転部３を備えるように構成してもよい。このように構成すると、［発明の実施の第３別形態］及び［発明の実施の第４別形態］において、右及び左のライト１８，１９を左右逆の状態に配置すればよい。
【図面の簡単な説明】
【００３０】
【図１】コンバインの全体右側面図
【図２】コンバインの全体平面図
【図３】刈取部の左側面図
【図４】ライトスイッチの平面図
【図５】刈取部を地面に位置させている状態及び刈取部を上限位置まで上昇駆動した状態での刈取部の付近の左側面図
【図６】刈取部の正面図
【図７】右及び左のライトの照射範囲を示す平面図
【図８】発明の実施の第１別形態の刈取部の正面図
【図９】発明の実施の第１別形態の右及び左のライト、中央のライトの照射範囲を示す平面図
【図１０】発明の実施の第２別形態の刈取部の正面図
【図１１】発明の実施の第２別形態の右及び左のライト、中央のライトの照射範囲を示す平面図
【図１２】発明の実施の第３別形態の刈取部の正面図
【図１３】発明の実施の第３別形態の右及び中央のライトの照射範囲を示す平面図
【図１４】発明の実施の第４別形態の刈取部の正面図
【図１５】発明の実施の第４別形態の右及び左のライトの照射範囲を示す平面図
【符号の説明】
【００３１】
２                刈取部
１８，１９，２２  ライト
【図１】
2008086333.tif 000003
【図２】
2008086333.tif 000004
【図３】
2008086333.tif 000005
【図４】
2008086333.tif 000006
【図５】
2008086333.tif 000007
【図６】
2008086333.tif 000008
【図７】
2008086333.tif 000009
【図８】
2008086333.tif 000010
【図９】
2008086333.tif 000011
【図１０】
2008086333.tif 000012
【図１１】
2008086333.tif 000013
【図１２】
2008086333.tif 000014
【図１３】
2008086333.tif 000015
【図１４】
2008086333.tif 000016
【図１５】
2008086333.tif 000017